(57)【要約】【課題】計測した時間情報を編集することができる電子機器を提供すること。【解決手段】電子機器は、複数の地点を通過する移動体に装着される電子機器であって、前記地点において計測用電波を受信する受信部と、前記受信部が前記計測用電波を受信した時間に基づく複数の時間情報を記録し、記録した前記時間情報に対する編集指示に基づいて、前記複数の前記時間情報の中の少なくとも１つの前記時間情報を編集する制御部と、を備える。【選択図】図２
2016158942.tif 000002
【特許請求の範囲】
【請求項１】
複数の地点を通過する移動体に装着される電子機器であって、
前記地点において計測用電波を受信する受信部と、
前記受信部が前記計測用電波を受信した時間に基づく複数の時間情報を記録し、記録した前記時間情報に対する編集指示に基づいて、前記複数の前記時間情報の中の少なくとも１つの前記時間情報を編集する制御部と、
を備えることを特徴とする、電子機器。
【請求項２】
前記時間情報は前記複数の地点の間を前記移動体が移動するのに要するラップタイムと前記ラップタイムが記録される順番とを含み、
前記制御部は、記録された複数の前記ラップタイムの中の一部を前記編集指示に基づいて削除し、削除されたラップタイムが記録された時間より後に記録されたラップタイムの順番を繰り上げることを特徴とする、請求項１に記載の電子機器。
【請求項３】
前記時間情報は前記複数の地点の間を前記移動体が移動するのに要するラップタイムの積算値であるスプリットタイムと前記複数の地点の所定の地点間を前記移動体が移動するのに要するトータルタイムと前記ラップタイムが記録される順番とを含み、
前記制御部は、記録された複数の前記ラップタイムのうち、前記編集指示が入力されたときの直前の順番のラップタイムを前記編集指示に基づいて削除し、削除されたラップタイムの順番より前の順番のラップタイムまでの積算値である前記スプリットタイムを前記トータルタイムとすることを特徴とする、請求項１に記載の電子機器。
【請求項４】
前記時間情報は前記複数の地点の間を前記移動体が移動するのに要するラップタイムと前記ラップタイムが記録される順番とを含み、
前記制御部は、記録された複数の前記ラップタイムの中の一部を前記順番と共に前記編集指示に基づいて記憶し、記憶された順番のラップタイムをないものとみなして、記憶された順番の後の順番のラップタイムを計算する、
ことを特徴とする、請求項１に記載の電子機器。
【請求項５】
前記電子機器は前記時間情報とは異なる時刻情報を計時する計時機能と、前記時間情報および前記時刻情報を表示する表示部と、を有する電子時計である、
ことを特徴とする、請求項１から請求項４のいずれか１項に記載の電子機器。
【請求項６】
複数の地点を通過する移動体に装着される電子機器のコンピュータに、
前記地点において計測用電波を受信する受信ステップと、
前記受信ステップにおいて前記計測用電波を受信した時間に基づく複数の時間情報を記録し、記録した前記時間情報に対する編集指示に基づいて、前記複数の前記時間情報の中の少なくとも１つの前記時間情報を編集する制御ステップと、
を実行させるための、電子機器の制御プログラム。
【発明の詳細な説明】
【技術分野】
【０００１】
本発明は、電子機器、及び電子機器の制御プログラムに関する。
【背景技術】
【０００２】
マラソン、トライアスロン、及びオリエンテーリング等のように、レースコースに沿って設置された計測ポイントを順に通過しながらゴールを目指すスポーツ競技がある。計測ポイントでは、ランナーが計測ポイントに到達したことを判定するための処理がなされる。また、計測ポイントでは、ランナーがスタート地点から計測ポイントへ到達するまでに要した時間を計測するための処理等もなされ得る。そのような処理を自動化するため、電子機器を使用した計測システムが用いられることがある。例えば、そのような計測システムにおいては、ランナー（電子機器の使用者）のゼッケン、シューズ、リストバンド、または腕時計等に、ＲＦＩＤ（Ｒａｄｉｏ  Ｆｒｅｑｕｅｎｃｙ  Ｉｄｅｎｔｉｆｉｃａｔｉｏｎ；小型省電力ＩＣ通信技術）タグが取り付けられる。そして、計測ポイントに敷設された計測マットに、ＲＦＩＤリーダーが組み込まれる。ランナーが計測ポイントに到達すると、ＲＦＩＤリーダーがＲＦＩＤタグから発信された電波を受信する。それによって、計測システムは、ランナーが計測ポイントに到達したことを判定したり、ランナーが計測ポイントに到達するまでに要した時間を計測したりすることができる。
【０００３】
特許文献１に記載の発明では、計測マットが、スタート地点、通過地点及びゴール地点に敷設される。各地点の計測マットから、ＩＤコードを含む電磁波がＩＤコードタグへ送信される。このＩＤコードタグは、電子腕時計に着脱可能に装着されている。ＩＤコードタグは、電磁波を受け取ると、自己のＩＤコードを電磁波に含めて計測マットに送信する。計測マットは、受け取ったＩＤコードを計時・認識処理装置に送信する。計時・認識処理装置は、各種の時間情報を算出する。各種の時間情報とは、スプリットタイム、トータル時間、スタート合図からスタート地点通過までのタイムラグ時間、及びトータル時間からタイムラグ時間を減算した正式のトータル時間、等である。計時・認識処理装置は、計測マットを介して、各種の時間情報を電子腕時計へ送信する。
【０００４】
特許文献２、及び特許文献３に記載の発明では、ランナーが、レース中に個人用運動装置を着用する。レースコースに沿って、複数のマットが設けられる。マットは、アンテナを有し、磁界を生成する。個人用運動装置は、RFIDタグ及びディスプレイを有するチップシステムを有する。ランナーがコースに沿って進むに伴い、個人用運動装置は、RFIDタグを各マットでトリガする。そして、個人用運動装置は、レースデータを装置上に表示する。
【先行技術文献】
【特許文献】
【０００５】
【特許文献１】特開平５−１７２９６０号公報
【特許文献２】特表２０１０−５３２６７３号公報
【特許文献３】特開２０１３−１２１５４７号公報
【発明の概要】
【発明が解決しようとする課題】
【０００６】
例えばマラソンのランナーには、レース終了後に、各走行区間における自己のラップタイム等を確認したいランナーも多い。ランナーは、ラップタイムを確認することによって、自己の走行ペースについて確認することができる。
また、実際のマラソン大会等の競技大会においては、スタート地点、ゴール地点、及び一定の距離毎の通過地点に、計測マットが敷設される。例えば、一定の距離毎とは、スタート地点から５ｋｍ毎、または１０ｋｍ毎である。さらに、上記以外の地点にも、計測マットが敷設される場合がある。例えば、計測マットは、中間地点（ハーフ地点）及び折り返し地点等にも設置される場合がある。なお、計測マットが折り返し地点にも設置されるのは、主にランナーが折り返し地点を通過したことの判定がなされるためである。すなわち、実際の競技大会においては、計測マットは一定の距離毎には設置されていない場合も多い。
【０００７】
特許文献１から特許文献３に記載の発明においては、計測マットが一定の距離毎に設置されていない場合には、レース後にランナーが走行ペースを確認することが難しいという問題がある。なぜならば、記録された各ラップタイムに対応する走行区間はそれぞれ距離が異なるためである。距離が互いに異なる走行区間のラップタイムを比較をしても、ランナーは、自己の走行ペースの善し悪しを判断することは困難である。また、例えば、折り返し地点等、スタート地点からの距離がランナーには公表されない計測ポイントもあるためである。
【０００８】
本発明は上記の点に鑑みてなされたものであり、実際の走行状況に応じた計測結果を使用者が把握できるようになる、電子機器、及び電子機器の制御プログラムを提供する。
【課題を解決するための手段】
【０００９】
（１）本発明は上述した課題を解決するためになされたもので、本発明の一態様は、複数の地点を通過する移動体に装着される電子機器であって、前記地点において計測用電波を受信する受信部と、前記受信部が前記計測用電波を受信した時間に基づく複数の時間情報を記録し、記録した前記時間情報に対する編集指示に基づいて、前記複数の前記時間情報の中の少なくとも１つの前記時間情報を編集する制御部と、を備えることを特徴とする、電子機器である。
【００１０】
（２）また、本発明の一態様は、前記時間情報は前記複数の地点の間を前記移動体が移動するのに要するラップタイムと前記ラップタイムが記録される順番とを含み、前記制御部は、記録された複数の前記ラップタイムの中の一部を前記編集指示に基づいて削除し、削除されたラップタイムが記録された時間より後に記録されたラップタイムの順番を繰り上げることを特徴とする、（１）に記載の電子機器である。
【００１１】
（３）また、本発明の一態様は、前記時間情報は前記複数の地点の間を前記移動体が移動するのに要するラップタイムの積算値であるスプリットタイムと前記複数の地点の所定の地点間を前記移動体が移動するのに要するトータルタイムと前記ラップタイムが記録される順番とを含み、前記制御部は、記録された複数の前記ラップタイムのうち、前記編集指示が入力されたときの直前の順番のラップタイムを前記編集指示に基づいて削除し、削除されたラップタイムの順番より前の順番のラップタイムまでの積算値である前記スプリットタイムを前記トータルタイムとすることを特徴とする、（１）に記載の電子機器である。
【００１２】
（４）また、本発明の一態様は、前記時間情報は前記複数の地点の間を前記移動体が移動するのに要するラップタイムと前記ラップタイムが記録される順番とを含み、前記制御部は、記録された複数の前記ラップタイムの中の一部を前記順番と共に前記編集指示に基づいて記憶し、記憶された順番のラップタイムをないものとみなして、記憶された順番の後の順番のラップタイムを計算する、ことを特徴とする、（１）に記載の電子機器である。
【００１３】
（５）また、本発明の一態様は、前記電子機器は前記時間情報とは異なる時刻情報を計時する計時機能と、前記時間情報および前記時刻情報を表示する表示部と、を有する電子時計である、ことを特徴とする、（１）から（４）のいずれか１つに記載の電子機器である。
【００１４】
（６）また、本発明の一態様は、複数の地点を通過する移動体に装着される電子機器のコンピュータに、前記地点において計測用電波を受信する受信ステップと、  前記受信ステップにおいて前記計測用電波を受信した時間に基づく複数の時間情報を記録し、記録した前記時間情報に対する編集指示に基づいて、前記複数の前記時間情報の中の少なくとも１つの前記時間情報を編集する制御ステップと、を実行させるための、電子機器の制御プログラムである。
【発明の効果】
【００１５】
本発明によれば、計測された時間情報を、実際の走行状況に応じて編集可能となるので、実際の走行状況に応じた計測結果の把握が容易となる。
【図面の簡単な説明】
【００１６】
【図１】本発明の実施形態に係るレース会場１の構成の一例を示す概略図である。
【図２】本発明の実施形態に係る各計測ポイント間の距離を示すテーブルの一例を示す図である。
【図３】本発明の実施形態に係る計測システム５の構成の一例を示す概略図である。
【図４】本発明の実施形態に係る計測マット５１及び電子機器５３の構成の一例を示すブロック図である。
【図５】本発明の実施形態に係る電子機器５３の外観及びディスプレイ５３４に表示される時間情報の一例を示す図である。
【図６】本発明の実施形態に係る電子機器５３のディスプレイ５３４に表示される一連の走行記録の一例を示す図である。
【図７】本発明の実施形態に係る走行記録テーブルの一例を示す図である。
【図８】本発明の実施形態に係る電子機器５３の走行記録を一部削除する場合の実施例を示す図である。
【図９】本発明の実施形態に係る編集後の走行記録テーブルの一例を示す図である。
【図１０】本発明の実施形態に係る電子機器５３の走行記録を一部削除する場合の実施例を示す図である。
【図１１】本発明の実施形態の変形例に係る電子機器５３の走行記録の一部を非表示にする場合の実施例を示す図である。
【図１２】本発明の実施形態の変形例に係る編集後の走行記録テーブルの一例を示す図である。
【図１３】本発明の実施形態に係る電子機器５３の動作の一例を示すフローチャートである。
【図１４】本発明の実施形態の変形例に係る電子機器５３の動作の一例を示すフローチャートである。
【発明を実施するための形態】
【００１７】
（実施形態）
本発明の実施形態について、以下に図面を参照しながら説明する。なお、実施形態においては、電子機器５３は、マラソン競技のランナーの手首に装着される。実施形態においては、電子機器５３は、計時機能を有するスポーツウォッチ（電子時計）である。但しこれは例示であり、マラソン競技、及びスポーツウォッチに限られるものではない。
【００１８】
実施形態に係る電子機器５３は、コースに沿って設置された計測ポイントを通過しながらゴールを目指すような他のスポーツ競技やゲーム等の競技者に装着される電子機器５３であってもよい。例えば、他のスポーツ競技やゲームとは、登山、トライアスロン、自転車競技、及びオリエンテーリング等である。
【００１９】
また、実施形態に係る電子機器５３は、ランナーのゼッケン、シューズ、またはスポーツウェア等に装着されるタグのような形状をした機器であってもよい。または、実施形態に係る電子機器５３は、スマートフォン等の携帯型の情報端末であってもよい。または、実施形態に係る電子機器５３は、ウェアラブルコンピュータであってもよい。例えば、ウェアラブルコンピュータとは、リストバンド、サングラス、帽子、または衣服等と一体化されたコンピュータである。または、実施形態に係る電子機器５３は、自転車等の移動体に内蔵された危機であってもよい。
【００２０】
図１は、本発明の実施形態に係るレース会場１の構成の一例を示す概略図である。
実施形態に係るレース会場１は、レースコース１１と、スタート地点２１と、１０ｋｍ地点２２−１と、２０ｋｍ地点２２−２と、３０ｋｍ地点２２−３と、第１折り返し地点２３−１と、第２折り返し地点２３−２と、ハーフ地点２４と、ゴール地点２５と、を含んで構成される。
【００２１】
レースコース１１は、マラソン競技において、ランナーが走行する経路である。例えば、レースコース１１は、一般道路等を利用して設営される。ランナーは、スタート地点２１から走行を開始する。ランナーは、レースコース１１に沿って走行をする。そして、ランナーは、ゴール地点２５に到達した後に走行を終了する。なお、レースコース１１は、フルマラソンのレースコースである。レースコース１１のスタート地点２１からゴール地点２５までの距離は、４２．１９５ｋｍである。
【００２２】
スタート地点２１は、ランナーが走行を開始する地点である。スタート地点２１には、スタートラインが路面上に引かれていたり、横断幕が掲げられていたりする。それによって、ランナーはスタート地点２１の位置を認識することができる。
【００２３】
１０ｋｍ地点２２−１は、スタート地点２１からレースコース１１に沿って１０ｋｍ進んだ地点である。同様に、２０ｋｍ地点２２−２及び３０ｋｍ地点２２−３は、スタート地点２１からレースコース１１に沿って、それぞれ２０ｋｍ及び３０ｋｍ進んだ地点である。
【００２４】
なお、実施形態に係るレースコース１１は、道路の一部の区間については往復走行するように設営されている。例えば、道路の一部の区間では、道路の中央線を境にしてコースが仕切られる。すなわち、道路の一部の区間については、折り返し地点を通過する前のランナーが走行する往路と、折り返し地点を通過した後のランナーが走行する復路と、に中央線を境にして仕切られる。
図1に示す第１折り返し地点２３−１、及び第２折り返し地点２３−２は、上記のような往復走行する区間においてランナーが折り返す地点である。
【００２５】
ハーフ地点２４は、レースコース１１のちょうど中間地点に設置される計測ポイントである。すなわち、ハーフ地点２４は、スタート地点から２１．０９７５ｋｍの地点に設置される。
【００２６】
ゴール地点２５は、レースコース１１を完走したランナーが、走行を終了する地点である。ゴール地点２５には、ゴールテープが張られていたり、ゴールラインが路面上に引かれていたり、横断幕が掲げられていたりする。それによって、ランナーはゴール地点２５の位置を認識することができる。
【００２７】
上記の全ての地点は、全て計測ポイントになっている。全ての地点とは、スタート地点２１、１０ｋｍ地点２２−１、２０ｋｍ地点２２−２、３０ｋｍ地点２２−３、第１折り返し地点２３−１、第２折り返し地点２３−２、ハーフ地点２４、及びゴール地点２５である。計測ポイントには、マラソン大会の運営者等によって、後述する計測マット５１が敷設されている。計測マット５１によって、ランナーが各地点に到達したことが計測される。
【００２８】
図２は、本発明の実施形態に係る各計測ポイント間の距離を示すテーブルの一例を示す図である。
例えば、図２に示す表の３行目において、「ＬＡＰ番号」の項目に対応する値は「ＬＡＰ１」、「計測ポイント」の項目に対応する値は「１０ｋｍ地点」、及び「区間距離」の項目に対応する値は「１０ｋｍ」である。これは、1つ前の行である２行目の「計測ポイント」の項目に対応する値である「スタート地点」から「１０ｋｍ地点」までの走行区間を「ＬＡＰ１」と呼ぶことを示す。また、この「ＬＡＰ１」の走行区間が「１０ｋｍ」であることを示す。
【００２９】
例えば、同様に、図２に示す表の４行目において、「ＬＡＰ番号」の項目に対応する値は「ＬＡＰ２」、「計測ポイント」の項目に対応する値は「第１折り返し地点」、及び「区間距離」の項目に対応する値は「４ｋｍ」である。これは、1つ前の行である３行目の「計測ポイント」の項目に対応する値である「１０ｋｍ地点」から「第１折り返し地点」までの走行区間を「ＬＡＰ２」と呼ぶことを示す。また、この「ＬＡＰ２」の走行区間が「４ｋｍ」であることを示す。
図示するように、実施形態におけるレースコース１１の各走行区間の区間距離はそれぞれ異なる。
【００３０】
スタート地点２１に敷設される計測マット５１は、スタートラインに合わせて敷設される。スタート地点２１に敷設される計測マット５１は、各ランナーがスタートラインを越えたことを大会の運営者等が確認するために敷設される。
【００３１】
１０ｋｍ地点２２−１に敷設される計測マット５１は、各ランナーが１０ｋｍ地点２２−１へ到達したかを大会の運営者等が確認するために設置される。同様に、２０ｋｍ地点２２−２、及び３０ｋｍ地点２２−３に敷設される計測マット５１は、各ランナーが２０ｋｍ地点２２−２、及び３０ｋｍ地点２２−３はそれぞれ到達したかを、大会の運営者等が確認するために設置される。
【００３２】
また、１０ｋｍ地点２２−１に敷設される計測マット５１は、各ランナーの１０ｋｍ地点２２−１における公式の通過タイムを、大会の運営者等が計測するために敷設される。同様に、２０ｋｍ地点２２−２、及び３０ｋｍ地点２２−３に敷設される計測マット５１は、各ランナーの２０ｋｍ地点２２−２、及び３０ｋｍ地点２２−３における公式の通過タイムを大会の運営者等が計測するために敷設される。
【００３３】
第１折り返し地点２３−１に敷設される計測マット５１は、各ランナーが第１折り返し地点２３−１を通過したことを、大会の運営者等が確認するために敷設される。すなわち、例えば、各折り返し地点を通過せずに、不正に近道をして走行するランナーを、大会の運営者等が発見するために設置される。例えば、不正な近道とは、道路の中央線に設置された仕切りを乗り越えることによって、往路側から復路側へ乗り移ることである。
同様に、第２折り返し地点２３−２に敷設される計測マット５１は、各ランナーが第２折り返し地点２３−２をそれぞれ通過したことを、大会の運営者等が確認するために敷設される。
【００３４】
ハーフ地点２４に敷設される計測マット５１は、各ランナーがハーフ地点２４へ到達したかを大会の運営者等が確認するために敷設される。
また、ハーフ地点２４に敷設される計測マット５１は、各ランナーのハーフ地点２４における公式の通過タイムを大会の運営者等が計測するために敷設される。
【００３５】
ゴール地点２５に敷設される計測マット５１は、ゴールラインに合わせて敷設される。ゴール地点２５に敷かれる計測マット５１は、主に、各ランナーがゴールラインを越えたことを大会の運営者等が確認するために敷設される。
また、各ランナーの公式のゴールタイムを大会の運営者等が計測するために敷設される。
【００３６】
次に、実施形態における計測システム５の概略について図面を参照しながら説明する。
図３は、本発明の実施形態に係る計測システム５の構成の一例を示す概略図である。
図３（Ａ）に示すように、実施形態に係る計測システム５は、計測マット５１と、磁界５２と、電子機器５３と、を含んで構成される。
【００３７】
実施形態に係るマラソン大会に参加するランナーの手首には、電子機器５３が装着される。
計測マット５１は、厚さ数ミリメートルの薄くて平坦なマット状の形状である。計測マット５１は、全ての計測ポイントに敷設される。
【００３８】
計測マット５１は、２つのアンテナを備える。計測マット５１が備えるアンテナの１つは、パッシブ型のＲＦＩＤタグに電波を発信させるための磁界を発生させるアンテナ（図示せず）である。また、計測マット５１が備えるもう１つのアンテナは、ＲＦＩＤタグが発信した電波を受信するためのアンテナ（図示せず）である。
パッシブ型のＲＦＩＤタグとは、電池を内蔵せず、電磁誘導等によって駆動して電波の受発信を行うタイプのＲＦＩＤタグのことである。実施形態においては、電磁誘導は、計測マット５１が発生させる磁界によって引き起こされる
【００３９】
なお図３（Ａ）に示す破線で描かれた２組の３重の輪は、計測マット５１が発生させる磁界５２のイメージを図示したものである。この２組の３重の輪は、実際には不可視なものである。図３（Ａ）に図示するように、磁界５２は、各計測ポイントに敷設された計測マット５１上を中心として、まんべんなく発生する。ランナーが計測マット５１上を通過する際には、必ず計測マット５１が発生させる磁界５２の中を通過するように、各計測マット５１は敷設される。
【００４０】
図３（Ｂ）は、図３（Ａ）に示したランナーの左手首周辺の範囲を拡大して図示したものである。
実施形態に係る電子機器５３は、スポーツウォッチである。図示するように、電子機器５３は、腕時計型の形状をしている。電子機器５３は、
電子機器５３は、複数の地点（計測ポイント）を通過する移動体（ランナー）に装着される電子機器である。電子機器５３は、計測ポイントにおいて計測用電波（磁界５２）を受信する受信部（受信アンテナ５３１）を備える。
【００４１】
また、電子機器５３は、ランナーが各計測ポイントを通過する時間に基づく各種の時間情報等を表示するディスプレイ５３４（後述）を備える。各種の時間情報とは、スプリットタイム、ラップタイム、及びトータルタイム等である。
【００４２】
（電子機器及び計測マットの構成）
次に、実施形態に係る計測マット５１及び電子機器５３の構成について図面を参照しながら説明する。
図４は、本発明の実施形態に係る計測マット５１及び電子機器５３の構成の一例を示すブロック図である。
【００４３】
計測マット５１は、マット５１１と、信号発生コイル５１２と、信号発信器５１３と、を備えて構成される。
マット５１１は、薄く平坦なマット状の形状をした部材である。マット５１１は、ランナーが競技中に踏み越えていく際に、違和感なく走行を継続できるために適切な硬度、薄さ、及び大きさ等を具備する部材によって構成される。また、マット５１１は、競技の参加者全員がマット５１１を踏み越えても十分に耐えうるだけの耐久性を具備する。また、マット５１１は、マット５１１の内部に含まれる信号発生コイル５１２を十分に保護しうる耐衝撃性を具備する。また、マット５１１は、雨天の場合でも信号発生コイル５１２を十分に保護できるだけの耐水性を具備する。
【００４４】
信号発生コイル５１２は、マット５１１に埋め込まれたアンテナである。信号発生コイル５１２は、導線部分を環状のコイルにしたアンテナである。
信号発信器５１３は、信号発生コイル５１２と接続される。信号発信器５１３は、信号発生コイル５１２に電流を供給する。それによって、信号発生コイル５１２は磁界５２を発生させることができる。
【００４５】
電子機器５３は、受信アンテナ５３１と、受信回路５３２と、マイクロプロセッサ５３３（制御部）と、ディスプレイ５３４と、メモリ５３５と、外部操作部材５３６と、電源５３７と、を含んで構成される。
【００４６】
受信アンテナ５３１は、信号発生コイル５１２が発生させる磁界５２を受信する。
受信回路５３２は、受信アンテナ５３１が磁界５２を受信したことを示す信号をマイクロプロセッサ５３３に送信する。
【００４７】
なお、受信アンテナ５３１は、磁界５２を受信するほか、無線局から送信される標準電波を受信するためのアンテナを兼ねたアンテナであってもよい。すなわち受信アンテナ５３１は、電波時計が備えるアンテナに、信号発生コイル５１２が発生させる磁界５２を受信する機能を追加したアンテナであってもよい。
受信回路５３２は、受信アンテナ５３１が受信した磁界５２を、マイクロプロセッサ５３３が処理可能なデータの形式に変換をする。
【００４８】
マイクロプロセッサ５３３は、電子機器５３の各種の制御を行う。例えば、マイクロプロセッサは５３３は、ＣＰＵ（Ｃｅｎｔｒａｌ  Ｐｒｏｃｅｓｓｉｎｇ  Ｕｎｉｔ；中央演算処理装置）である。
マイクロプロセッサ５３３は、受信部（受信アンテナ５３１）が計測用電波（磁界５２）を受信した時間に基づく複数の時間情報をメモリ５３５に記憶させる。マイクロプロセッサ５３３は、メモリ５３５に記憶させた時間情報に対する編集指示に基づいて、記憶させた複数の時間情報の中の少なくとも１つの時間情報を編集する。
【００４９】
マイクロプロセッサ５３３は、ストップウォッチ機能を有する。マイクロプロセッサ５３３は、各種の時間情報をディスプレイ５３４に表示させる。そしてマイクロプロセッサ５３３は、ディスプレイ５３４の表示領域に表示させる時間情報を、０．１秒間隔または０．０１秒間隔等の一定の間隔で更新させる。
【００５０】
電子機器５３がストップウォッチ機能の実行を待機している状態であるとき、マイクロプロセッサ５３３は、磁界５２を受信したことを示す信号が受信回路５３２から入力されると、ストップウォッチ機能の実行を開始する。すなわち、電子機器５３は、最初の計測ポイントであるスタート地点２１に敷設された計測マット５１が発生させる磁界５２を受信したとき、時間の計測を開始する。
【００５１】
電子機器５３がストップウォッチ機能を実行している状態であるとき、マイクロプロセッサ５３３は、磁界５２を受信したことを示す信号が受信回路５３２から入力されると、入力された時点のスプリットタイムをメモリ５３５に記憶させる。
そして、マイクロプロセッサ５３３は、上記においてメモリ５３５に記憶させたスプリットタイムから、１つ前に記憶させたスプリットタイムを差し引く。そうすることで、マイクロプロセッサ５３３はラップタイムを計算する。すなわち、マイクロプロセッサ５３３は、１つ前の計測ポイントを通過した時点から計測ポイントを通過した時点までに要した時間をラップタイムとして計算する。
マイクロプロセッサ５３３は、スプリットタイム及びラップタイムを、ディスプレイ５３４に表示させる。
【００５２】
メモリ５３５に記憶させたスプリットタイムが、ストップウォッチを実行させてから最初に記憶させたスプリットタイムであるときには、そのスプリットタイムをラップタイムとして、ディスプレイ５３４に表示させる。
すなわち、マイクロプロセッサ５３３は、スタート地点２１を通過した時点から次の計測ポイントに到達する時点までの時間を最初のラップタイムとして、ディスプレイ５３４に表示させる。
【００５３】
マイクロプロセッサ５３３は、外部操作部材５３６から入力された情報に基づいて、各種の時間情報を含む情報をディスプレイ５３４に表示させる。また、マイクロプロセッサ５３３は、外部操作部材５３６から入力された情報に基づいて、メモリ５３５に記憶させるデータの読み書きを行う。
【００５４】
ディスプレイ５３４は、各種の時間情報等を表示する。ディスプレイ５３４は、例えば、液晶ディスプレイ、有機ＥＬ（Ｅｌｅｃｔｒｏｌｕｍｉｎｅｓｃｅｎｃｅ）ディスプレイ、等を含んで構成される。
【００５５】
メモリ５３５は、各種のデータやプログラム等を記憶する。メモリ５３５は記憶媒体、例えば、ＨＤＤ（Ｈａｒｄ  Ｄｉｓｋ  Ｄｒｉｖｅ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ；読み出し専用メモリ）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、またはそれらの組み合わせ、を含んで構成される。
【００５６】
なお、メモリ５３５を、電子機器５３が備えるのではなく外部機器が備えるような構成にしてもよい。その場合、マイクロプロセッサ５３３は、通信ネットワークを介してメモリ５３５に記憶させるデータの読み書きを行う。
【００５７】
外部操作部材５３６は、ランナーから操作入力を受け付けるための部材である。実施形態において、外部操作部材５３６は５つの入力ボタンによって構成される。５つの入力ボタンは、Ａボタン、Ｂボタン、Ｃボタン、Ｄボタン、及びＥボタンからなる。なお、例えば、外部操作部材５３６は、ねじ、ダイヤル、タッチパッド、及びポインティングデバイス等の部材によって構成されてもよい。
【００５８】
または、外部操作部材５３６は、外部機器からの操作入力を受け付けるための通信デバイスであってもよい。すなわち、外部操作部材５３６を備える外部機器から、通信ネットワークを介して操作入力を受け付けるようにしてもよい。
【００５９】
なお、上記のディスプレイ５３４と外部操作部材５３６は、両者の機能を兼ね備えた部材を使用してもよい。すなわち表示機能と外部操作入力機能とを兼ね備えた、タッチパネル等の部材を使用してもよい。
電源５３７は、電子機器５３の各構成部品に電力を供給する。
【００６０】
次に、実施形態におけるランナーの走行記録の一例について図面を参照しながら説明する。
図５は、本発明の実施形態に係る電子機器５３の外観及びディスプレイ５３４に表示される時間情報の一例を示す図である。
【００６１】
図５に示す電子機器５３は、ディスプレイ５３４と、５つの外部操作部材５３６（５３６Ａ、５３６Ｂ、５３６Ｃ、５３６Ｄ、及び５３６Ｅ）と、を備える。外部操作部材（５３６Ａ、５３６Ｂ、５３６Ｃ、５３６Ｄ、及び５３６Ｅ）は、それぞれ操作ボタンである。
【００６２】
外部操作部材５３６Ａは、「Ａボタン」と呼ばれる入力ボタンである。同様に、外部操作部材５３６Ｂ、外部操作部材５３６Ｃ、外部操作部材５３６Ｄ、及び外部操作部材５３６Ｅは、それぞれ、「Ｂボタン」、「Ｃボタン」、「Ｄボタン」、及び「Ｅボタン」と呼ばれる入力ボタンである。
レース終了後に、ランナーは、自己の走行記録をディスプレイ５３４に表示させる。図５は、ランナーが電子機器５３のディスプレイ５３４に「２０１４年１月２０日」に参加したマラソンの走行記録を表示させた場合の例である。
【００６３】
ディスプレイ５３４の上段に表示されている「２０１４年１月２０日」は、走行記録が記録された日の日付を示す。
ディスプレイ５３４に下段に表示されている「ＴＯＴＡＬ」は、ディスプレイ５３４に中段に表示されている時間情報「３：０８’１５」がこの走行記録におけるトータルタイムであることを示す。
ディスプレイ５３４の中段に表示されている「３：０８’１５」は「３時間８分１５秒」を意味し、上記のとおりこの走行記録におけるトータルタイムを示す。
【００６４】
上記のようなトータルタイムがディスプレイ５３４に表示された状態において、ＡボタンまたはＤボタンが押下されると、別の走行記録に表示が切り替わる。例えば、別の走行記録とは、他のマラソン大会で走行記録である。ランナーは、ＡボタンまたはＤボタンを押下することによって確認したい走行記録を探し、ディスプレイ５３４に表示させることができる。
【００６５】
次に、実施形態におけるランナーの走行記録の一例について図面を参照しながら説明する。
図６は、本発明の実施形態に係る電子機器５３のディスプレイ５３４に表示される一連の走行記録の一例を示す図である。
【００６６】
ランナーが、「２０１４年１月２０日」に参加したマラソン大会における自己の走行記録を表示させたとき、電子機器５３のディスプレイ５３４には、まず表示例１００のように表示される。そして、ランナーがＥボタンを押下する毎に、表示例１０１、表示例１０２、・・・、表示例１０７へと、ディスプレイ５３４に表示される時間情報が切り替わる。そして、表示例１０７の表示がされた状態において、更にランナーがＥボタンを１回押下すると、再び表示例１００の表示に戻る。
【００６７】
上記のとおり、表示例１００の表示がされた状態において、ランナーがＥボタンを１回押下した場合、ディスプレイ５３４には、表示例１０１のように表示される。
表示例１０１の下段に表示されている「ＬＡＰ１」は、表示例１０１の上段及び中段に表示されている時間情報がＬＡＰ１の走行区間に対応する走行記録であることを示す。
すなわち、ランナーがスタート地点から走行を開始した後、最初の計測ポイントである１０ｋｍ地点２２−１に到達した時点で記録された時間情報が表示されている。
【００６８】
表示例１０１の上段に表示されている「０：４５’３０」は、スプリットタイムを示す。  このスプリットタイムは、ランナーが、スタート地点２１から１０ｋｍ２２−１地点に到達するまでに要した時間である。
表示例１０１の中段に表示されている「０：４５’３０」は、ラップタイムを示す。
このラップタイムは、ランナーが、１つ前の計測ポイントから１０ｋｍ地点２２−１に到達するまでに要した時間である。表示例１０１は、最初の走行区間であるＬＡＰ１に対応する時間情報の表示例である。よって、１つ前の計測ポイントとはスタート地点２１である。したがって、表示例１０１の中段に表示されるラップタイムは、上段に表示されるスプリットタイムと同じく「０：４５’３０」と表示される。
【００６９】
さらに、ランナーがＥボタンを１回押下した時には、ディスプレイ５３４には、表示例１０２のように表示される。
上記と同様に、表示例１０２の下段に表示されている「ＬＡＰ２」は、表示例１０２の上段及び中段に表示されている時間情報がＬＡＰ２の走行区間に対応する走行記録であることを示す。
すなわち、ランナーが、１０ｋｍ地点２２−１の次の計測ポイントである第１折り返し地点２３−１に到達した時点で記録された時間情報が表示されている。
【００７０】
表示例１０１の上段に表示されている「１：０８’１５」は、スプリットタイムを示す。ランナーが、スタート地点２１から第１折り返し地点２３−１に到達するまでに要した時間である。
表示例１０１の中段に表示されている「０：２２’４５」は、ラップタイムを示す。
ランナーが、１つ前の計測ポイントから第１折り返し地点２３−１に到達するまでに要した時間である。表示例１０１は、２区間目の走行区間であるＬＡＰ２に対応する時間情報の表示例である。よって、１つ前の計測ポイントとは、１０ｋｍ地点２２−１である。したがって、表示例１０１の中段に表示されるラップタイムは、「０：２２’４５」となる。「０：２２’４５」は、ＬＡＰ２のスプリットタイム「１：０８’１５」からＬＡＰ１のスプリットタイム「０：４５’３０」を差し引いた時間である。
【００７１】
なお、各計測ポイントで計測された時間情報は、図７に示すテーブルのデータのように電子機器５３のメモリ５３５に記憶される。
図７は、本発明の実施形態に係る走行記録テーブルの一例を示す図である。
図７に示す走行記録テーブルは、レースコース１１の全ての計測ポイントにおいて計測が完了した後の走行記録テーブルの状態を示す。
【００７２】
走行記録テーブルは、「ＬＡＰ番号」、「スプリットタイム」、及び「非表示フラグ」の３つの項目からなる、２次元の表形式のデータである。「ＬＡＰ番号」の項目には、レースコース１１の各走行区間を識別するために付与される番号が記憶される。
図７に示す走行記録テーブルにおいて、「ＬＡＰ１」は、スタート地点２１から１０ｋｍ地点２２−１までの走行区間に対して付与された番号である。同様に、「ＬＡＰ２」は、１０ｋｍ地点２２−１から第１折り返し地点２３−１までの走行区間に対して付与された番号である。
【００７３】
「スプリットタイム」の項目には、各走行区間の終了地点にあたる計測ポイントにランナーが到達した時点でのスプリットタイムが記憶される。例えば、図７に示す走行記録テーブルにおいて、「ＬＡＰ番号」の項目に対応する値が「ＬＡＰ１」である行の「スプリットタイム」の項目に対する値は、「０：４５’３０」である。これは、「ＬＡＰ１」の走行区間の終了地点である１０ｋｍ地点２２−１にランナーが到達した時点でのスプリットタイムが「４５分３０秒」であることを示す。
【００７４】
「非表示フラグ」の項目には、「ＯＮ」または「ＯＦＦ」の値が記憶される。「非表示フラグ」の項目に記憶される値は、各計測ポイントにおいて走行記録テーブルに初めて記憶された時点では、全て「ＯＦＦ」である。その後、ランナー等からの外部操作入力により走行記録テーブルのデータが更新されることによって、「非表示フラグ」の値は「ＯＮ」になり得る。「非表示フラグ」の値が「ＯＮ」であるときは、その走行区間の終了地点である計測ポイントは、ラップタイムを計算する場合においてその計算対象に含めないことを意味する。この詳細については、後述する。
【００７５】
次に、実施形態におけるランナーの走行記録の編集例について図面を参照しながら説明する。
図２に示したように、各走行区間毎の区間距離は異なる。しかしながら、ランナーは、レース終了後に自己の走行ペースを確認するため、１０ｋｍ毎等の一定の間隔でのラップタイムを把握したい場合も多い。
【００７６】
したがって、例えば、ランナーが１０ｋｍ毎のラップタイムを把握したい場合には、図２に示す、第１折り返し地点（ＬＡＰ２）、ハーフ地点（ＬＡＰ４）、及び第２折り返し地点（ＬＡＰ５）の計測ポイントが存在しなかったならばランナーは自己の走行ペースの確認がし易い。
【００７７】
なぜならば、それらの計測ポイントが存在しなかった場合、１０ｋｍ地点、２０ｋｍ地点、及び３０ｋｍ地点と、１０ｋｍ間隔で設置された計測ポイントのみになるからである。それによって、ランナーは、１０ｋｍ毎の間隔でのラップタイムを把握することができる。ランナーは、１０ｋｍ毎の自己の走行ペースを容易に確認することができる。
【００７８】
例えば、実施形態に係る電子機器５３は、上記のＬＡＰ２、ＬＡＰ４、及びＬＡＰ５の計測ポイントが無かったものとして、記録した走行記録を編集することができる。それによって、ランナーは、１０ｋｍ毎の間隔でのラップタイムを把握することができる。以下に、走行記録の編集について説明する。
【００７９】
図８は、本発明の実施形態に係る電子機器５３の走行記録を構成する時間情報を一部削除する場合の実施例を示す図である。ここで削除する時間情報とは、ＬＡＰ２、ＬＡＰ４、及びＬＡＰ５に対応する時間情報である。
【００８０】
図８（Ａ）の列は、走行記録を編集する前の一連の時間情報によって構成される走行記録の表示例である。
まず、ランナーは、Ａボタン及びＤボタンを押下して、編集したい「２０１４年１月２０日」の走行記録をディスプレイ５３４に表示させる。すると、ディスプレイ５３４の表示は、図８（Ａ）の表示例２００のようになる。
【００８１】
そして、ランナーはＥボタンを２回押下して、削除したいＬＡＰ２の時間情報を表示させる。すると、ディスプレイ５３４の表示は、図８（Ａ）の表示例２０２のようになる。
ここで、ランナーはＡボタンを長押しすることによって、ＬＡＰ２の時間情報を削除する。
【００８２】
なお、実施形態に係る電子機器５３のマイクロプロセッサ５３３は、ディスプレイ５３４にラップ番号を含む時間情報を表示させている場合において、外部操作部材５３６Ａ（Ａボタン）が長押しされたことを示す信号が入力されると、時間情報を削除する指示が入力されたものと判断する。そして、マイクロプロセッサ５３３は、ディスプレイ５３４に表示させている時間情報を、メモリ５３５に記憶された走行記録テーブルから削除する。例えば、長押しとは、ボタンを２秒以上押下し続けることである。
【００８３】
Ａボタンが長押しされると、マイクロプロセッサ５３３は、ＬＡＰ２の時間情報を削除する。そして、マイクロプロセッサ５３３は、ＬＡＰ２を削除したことに伴って、ＬＡＰ３を新たなＬＡＰ２として走行記録テーブルの「ＬＡＰ番号」の値を更新する。したがって、ディスプレイ５３４には、新たなＬＡＰ２のスプリットタイム「１：３１’４５」から、１つ前の走行区間であるＬＡＰ１のスプリットタイム「０：４５’３０」を差し引いた、「０：４６’１５」が、新たなＬＡＰ２のラップタイムとして表示される。それにより、ディスプレイ５３４の表示は、図８（Ｂ）の表示例２１３のようになる。
【００８４】
マイクロプロセッサ５３３は、ＬＡＰ４、ＬＡＰ５、ＬＡＰ６、ＬＡＰ７についても同様に、新たなＬＡＰ３、ＬＡＰ４、ＬＡＰ５、ＬＡＰ６とするように走行記録テーブルの「ＬＡＰ番号」の値を更新する。
以上により、第１折り返し地点２３−１において記録した時間情報が削除される。そして、新たなＬＡＰ２のラップタイムは、１０ｋｍ地点２２−１から２０ｋｍ地点２２−２までの走行区間のラップタイムとなる。以上により、ＬＡＰ２のラップタイムを削除することによって更新された走行記録は、図８（Ｂ）のようになる。
【００８５】
次に、ランナーはＥボタンを１回押下して、削除したいＬＡＰ３（元のＬＡＰ４）の時間情報を表示させる。すると、ディスプレイ５３４の表示は、図８（Ｂ）の表示例２１４のようになる。
ここで、ランナーはＡボタンを長押しすることによって、ＬＡＰ３（元のＬＡＰ４）の時間情報を削除する。
【００８６】
Ａボタンが長押しされると、マイクロプロセッサ５３３は、ＬＡＰ３（元のＬＡＰ４）の時間情報を削除する。そして、マイクロプロセッサ５３３は、ＬＡＰ３を削除したことに伴って、ＬＡＰ４を新たなＬＡＰ３として走行記録テーブルの「ＬＡＰ番号」の値を更新する。したがって、ディスプレイ５３４には、新たなＬＡＰ３のスプリットタイム「１：５０’３０」から、１つ前の走行区間であるＬＡＰ２のスプリットタイム「１：３１’４５」を差し引いた、「０：１８’４５」が、新たなＬＡＰ３のラップタイムとして表示される。それにより、ディスプレイ５３４の表示は、図８（Ｃ）の表示例２２５のようになる。
【００８７】
マイクロプロセッサ５３３は、ＬＡＰ５及びＬＡＰ６についても同様に、走行記録テーブルの「ＬＡＰ番号」の値を、それぞれ「ＬＡＰ４」及び「ＬＡＰ５」に更新する。
以上により、ハーフ地点２４において記録した時間情報が削除される。そして、新たなＬＡＰ３のラップタイムは、２０ｋｍ地点２２−２から第２折り返し地点２３−２までの走行区間のラップタイムとなる。以上により、ＬＡＰ３のラップタイムを削除することによって更新された走行記録は、図８（Ｃ）のようになる。
【００８８】
この時点で、ディスプレイ５３４には、ランナーが削除したいＬＡＰ３（元のＬＡＰ５）の時間情報が表示されている。すなわち、ディスプレイ５３４の表示は、図８（Ｃ）の表示例２２５のようになる。
ここで更に、ランナーはＡボタンを長押しすることによって、ＬＡＰ３（元のＬＡＰ５）の時間情報を削除する。
【００８９】
Ａボタンが長押しされると、マイクロプロセッサ５３３は、ＬＡＰ３（元のＬＡＰ５）の時間情報を削除する。そして、マイクロプロセッサ５３３は、ＬＡＰ３を削除したことに伴って、ＬＡＰ４を新たなＬＡＰ３として走行記録テーブルの「ＬＡＰ番号」の値を更新する。したがって、ディスプレイ５３４には、新たなＬＡＰ３のスプリットタイム「２：１６’４５」から、１つ前の走行区間であるＬＡＰ２のスプリットタイム「１：３１’４５」を差し引いた、「０：４５’００」が、新たなＬＡＰ３のラップタイムとして表示される。それにより、ディスプレイ５３４の表示は、図８（Ｄ）の表示例２３６のようになる。
【００９０】
マイクロプロセッサ５３３は、ＬＡＰ５についても同様に、走行記録テーブルの「ＬＡＰ番号」の値を、「ＬＡＰ４」に更新する。
以上により、第２折り返し地点２３−２において記録した時間情報が削除される。そして、新たなＬＡＰ３のラップタイムは、２０ｋｍ地点２２−２から３０ｋｍ地点２２−３までの走行区間のラップタイムとなる。以上により、ＬＡＰ３のラップタイムを削除することによって更新された走行記録は、図８（Ｄ）のようになる。
【００９１】
以上の、一連の走行記録の編集を行った後の時点での走行記録テーブルの状態を図９に示す。
図９は、本発明の実施形態に係る編集後の走行記録テーブルの一例を示す図である。
図示するように、元のＬＡＰ２、元のＬＡＰ４、及び元のＬＡＰ５の時間情報が削除されている。
【００９２】
以上により、図８（Ｄ）の列の一連の表示例が、走行記録の編集後の表示例となる。
図８（Ｄ）の表示例２３１に示されるＬＡＰ１のラップタイムは、ランナーがスタート地点２１から１０ｋｍ地点２２−１までを走行するのに要した時間である。また、表示例２３３に示されるＬＡＰ２のラップタイムは、ランナーが１０ｋｍ地点２２−１から２０ｋｍ地点２２−２までを走行するのに要した時間である。また、表示例２３６に示されるＬＡＰ３のラップタイムは、２０ｋｍ地点２２−２から３０ｋｍ地点２２−３までを走行するのに要した時間である。
【００９３】
また、表示例２３７に示されるＬＡＰ４のラップタイムは、ランナーが３０ｋｍ地点２２−３からゴール地点２５までを走行するのに要した時間である。したがって、ディスプレイ５３４には、ＬＡＰ１からＬＡＰ３までについては、１０ｋｍ間隔のラップタイムが表示されることになる。
以上により、ランナーは走行記録を編集することによって、容易に自己の走行ペースを把握することができる。
【００９４】
次に、ランナーが走行記録の中の最後の走行区間（ＬＡＰ７）の時間情報を削除する場合について説明する。
図１０は、本発明の実施形態に係る電子機器５３の走行記録を一部削除する場合の実施例を示す図である。
【００９５】
図１０（Ａ）の列は、走行記録をを削除する前の一連の走行記録の表示例である。
まず、ランナーは、Ａボタン及びＤボタンを押下して、編集したい「２０１４年１月２０日」の走行記録をディスプレイ５３４に表示させる。すると、ディスプレイ５３４の表示は、図１０（Ａ）の表示例３００のようになる。
【００９６】
そして、ランナーはＥボタンを７回押下して、削除したい最後の走行区間（ＬＡＰ７）の時間情報を表示させる。すると、ディスプレイ５３４の表示は、図１０（Ａ）の表示例３０７のようになる。
ここで、ランナーはＡボタンを長押しすることによって、ＬＡＰ７の時間情報を削除する。
【００９７】
Ａボタンが長押しされると、マイクロプロセッサ５３３は、ＬＡＰ７の時間情報を削除する。そしてマイクロプロセッサ５３３は、最後の走行区間の走行記録であるＬＡＰ７を削除したことに伴って、トータルタイムを更新する。マイクロプロセッサ５３３は、ＬＡＰ７の１つ前の走行区間であるＬＡＰ６のスプリットタイムである「２：１６’４５」（表示例３０６、上段）を、表示例３００の中段に示されるトータルタイムとしてディスプレイ５３４に表示させる。すると、ディスプレイ５３４の表示は、図１０（Ｂ）の表示例３１０のようになる。
【００９８】
（実施形態に係る電子機器の動作）
次に、実施形態に係る電子機器５３の動作について説明する。
図１１は、本発明の実施形態に係る電子機器５３の動作の一例を示すフローチャートである。
【００９９】
（ステップＳ１０１）まず、ランナーにより、編集したい走行記録が選択される。ランナーにより、編集する走行記録がディスプレイ５３４に表示されるまで、電子機器５３の外部操作部材５３６Ａ（Ａボタン）及び外部操作部材５３６Ｄ（Ｄボタン）が押下される。その後、ステップＳ１０２へ進む。
【０１００】
（ステップＳ１０２）次に、ランナーにより、削除する時間情報がディスプレイ５３４に表示されるまで、電子機器５３の外部操作部材５３６Ｅ（Ｅボタン）を押下される。以下、削除する時間情報に付与されたラップ番号を、ＬＡＰ（Ｎ）と記載する。その後、ステップＳ１０３へ進む。
【０１０１】
（ステップＳ１０３）次に、ランナーにより、外部操作部材５３６Ａ（Ａボタン）が押下される。外部操作部材５３６Ａ（Ａボタン）が押下された時間が２秒以上（長押し）であったならば、ステップＳ１０４へ進む。外部操作部材５３６Ａ（Ａボタン）押下された時間が２秒未満であったならば、ステップＳ１０３に留まる。
【０１０２】
（ステップＳ１０４）マイクロプロセッサ５３３は、ＬＡＰ（Ｎ）のＬＡＰ番号が付与された時間情報を削除する。その後、ステップＳ１０５へ進む。
【０１０３】
（ステップＳ１０５）ステップＳ１０４においてマイクロプロセッサ５３３が削除した時間情報が最終走行区間に対応する時間情報であったならば、ステップＳ１０６へ進む。最終走行区間に対応する時間情報でない場合は、ステップＳ１０７へ進む。
【０１０４】
（ステップＳ１０６）マイクロプロセッサ５３３は、本走行記録のトータルタイムをディスプレイ５３４に表示させる場合には、ＬＡＰ（Ｎ）の１つ前のラップ番号であるＬＡＰ（Ｎ−１）が付与された時間情報に対応するスプリットタイムを表示する。以上で、本フローチャートが示す処理を終了する。
【０１０５】
（ステップＳ１０７）マイクロプロセッサ５３３は、ＬＡＰ（Ｎ＋１）のラップタイムをディスプレイ５３４に表示させる場合には、ＬＡＰ（Ｎ＋１）の時間情報に対応するスプリットタイムからＬＡＰ（Ｎ−１）のスプリットタイムを指し引いた時間を表示する。その後、ステップＳ１０８へ進む。
【０１０６】
（ステップＳ１０８）マイクロプロセッサ５３３は、ＬＡＰ（Ｎ＋１）以上のＬＡＰ番号であるＬＡＰ（Ｎ＋Ｘ）［但しＸ≧１］について、それぞれ１を差し引いたＬＡＰ番号である、ＬＡＰ（Ｎ＋Ｘ−１）とするように、メモリ５３５に記憶された走行記録テーブルを更新する。以上で、本フローチャートが示す処理を終了する。
以上により、ランナーは走行記録を編集することによって、容易に自己の走行ペースを把握することができる。
【０１０７】
以上説明したように、実施形態によれば、ランナーは走行記録を編集することによって、容易に自己の走行ペースを把握することができる。
【０１０８】
（実施形態の変形例）
ところで、ランナーは、ラップタイムは１０ｋｍ毎等の一定の間隔で把握したいが、スプリットタイムは、ハーフ地点２４等におけるスプリットタイム等も含めて全て記録を残しておきたい場合もある。
以下に、ランナーが、記録した時間情報を削除するのではなく、表示不要なラップタイムを非表示にする場合について説明する。
【０１０９】
図１２は、本発明の実施形態の変形例に係る電子機器５３の走行記録の一部を非表示にする場合の実施例を示す図である。
図１２（Ａ）の列は、ラップタイムを非表示にする前の一連の時間情報によって構成される走行記録の表示例である。
【０１１０】
まず、ランナーは、Ａボタン及びＤボタンを押下して、編集したい「２０１４年１月２０日」の走行記録をディスプレイ５３４に表示させる。すると、ディスプレイ５３４の表示は、図１２（Ａ）の表示例４００のようになる。
そして、ランナーはＥボタンを２回押下して、ラップタイムを非表示にしたいＬＡＰ２の時間情報を表示させる。すると、ディスプレイ５３４の表示は、図１２（Ａ）の表示例４０２のようになる。
ここで、ランナーはＤボタンを長押しすることによって、ＬＡＰ２のラップタイムを非表示にさせる。
【０１１１】
なお、実施形態の変形例に係る電子機器５３のマイクロプロセッサ５３３は、ディスプレイ５３４にラップタイムを含む時間情報を表示させている場合において、外部操作部材５３６Ｄ（Ｄボタン）が長押しされたことを示す信号が入力されると、ラップタイムを非表示にする指示が入力されたものと判断する。例えば、長押しとは、ボタンを２秒以上押下し続けることである。
【０１１２】
Ｄボタンが長押しされると、マイクロプロセッサ５３３は、ディスプレイ５３４に表示させている時間情報に対応するデータを更新する。マイクロプロセッサ５３３は、メモリ５３５に記憶された走行記録テーブルの「非表示フラグ」の項目の値を「ＯＮ」に更新する。すると、ＬＡＰ２のラップタイムは非表示となる。そして、ディスプレイ５３４の表示は、図１２（Ｂ）の表示例４１２のようになる。図示するとおり、中段のラップタイムの表示は「−：−−’−−」となる。
【０１１３】
ここで、ランナーが外部操作部材５３６Ｅ（Ｅボタン）を１回押下した場合、ＬＡＰ３の時間情報が表示される。この時、マイクロプロセッサ５３３は、ＬＡＰ３のスプリットタイム「１：３１’４５」から、ＬＡＰ２の１つ前の走行区間であるＬＡＰ１のスプリットタイム「０：４５’３０」を差し引いた、「０：４６’１５」をＬＡＰ３のラップタイムとしディスプレイ５３４に表示させる。よって、ディスプレイ５３４の表示は、図１２（Ｂ）の表示例４１３のようになる。
【０１１４】
すなわち、マイクロプロセッサ５３３がラップタイムを計算する場合において、１つ前の走行区間に対応する走行記録テーブルの「非表示フラグ」の値が「ＯＮ」であるときは、その走行区間のスプリットタイムは計算の対象にしない。つまり、ラップタイム等として計測対象にしない順番のデータを「非表示フラグ」を付けることで記憶しておく。「非表示フラグ」の値が「ＯＦＦ」である走行区間になるまで、走行区間をさかのぼり、「非表示フラグ」の値が「ＯＦＦ」である走行区間のスプリットタイムをラップタイムの計算対象とする。
【０１１５】
以上により、第１折り返し地点２３−１において記録したスプリットタイムに基づくラップタイムが非表示にされる。そして、図１２（Ｂ）の表示例４１３に示すＬＡＰ３のラップタイムは、１０ｋｍ地点２２−１から２０ｋｍ地点２２−２までの走行区間のラップタイムとなる。以上により、ＬＡＰ２のラップタイムを非表示にすることによって更新された走行記録は、図１２（Ｂ）のようになる。
【０１１６】
次に、ランナーはＥボタンを１回押下して、ラップタイムを非表示にしたいＬＡＰ４の時間情報を表示させる。すると、ディスプレイ５３４の表示は、図１２（Ｂ）の表示例４１４のようになる。
ここで、ランナーはＤボタンを長押しすることによって、ＬＡＰ４のラップタイムを非表示にさせる。
【０１１７】
Ｄボタンが長押しされると、マイクロプロセッサ５３３は、ディスプレイ５３４に表示させている時間情報に対応するデータを更新する。マイクロプロセッサ５３３は、メモリ５３５に記憶された走行記録テーブルの「非表示フラグ」の項目の値を「ＯＮ」に更新する。すると、ＬＡＰ４のラップタイムは非表示となる。そして、ディスプレイ５３４の表示は、図１２（Ｂ）の表示例４２４のようになる。図示するとおり、中段のラップタイムの表示は「−：−−’−−」となる。
【０１１８】
ここで、ランナーが外部操作部材５３６Ｅ（Ｅボタン）を１回押下した場合、ＬＡＰ５の時間情報が表示される。この時、マイクロプロセッサ５３３は、ＬＡＰ５のスプリットタイム「１：５０’３０」から、１つ前の走行区間であるＬＡＰ４のさらに１つ前の走行区間であるＬＡＰ３のスプリットタイム「１：３１’４５」を差し引いた、「０：１８’４５」をＬＡＰ５のラップタイムとしディスプレイ５３４に表示させる。よって、ディスプレイ５３４の表示は、図１１（Ｃ）の表示例４２５のようになる。
【０１１９】
以上により、ハーフ地点２４において記録したスプリットタイムに基づくラップタイムが非表示にされる。そして、図１２（Ｃ）の表示例４２５に示すＬＡＰ５のラップタイムは、２０ｋｍ地点２２−２から第２折り返し地点２３−２までの走行区間のラップタイムとなる。以上により、ＬＡＰ４のラップタイムを非表示にすることによって更新された走行記録は、図１２（Ｃ）のようになる。
【０１２０】
この時点で、ディスプレイ５３４には、ランナーが非表示にしたいＬＡＰ５の時間情報が表示されている。すると、ディスプレイ５３４の表示は、図１２（Ｃ）の表示例４２５のようになる。
ここで、ランナーはＤボタンを長押しすることによって、ＬＡＰ５のラップタイムを非表示にさせる。
【０１２１】
Ｄボタンが長押しされると、マイクロプロセッサ５３３は、ディスプレイ５３４に表示させている時間情報に対応するデータを更新する。マイクロプロセッサ５３３は、メモリ５３５に記憶された走行記録テーブルの「非表示フラグ」の項目の値を「ＯＮ」に更新する。すると、ＬＡＰ５のラップタイムは非表示となる。そして、ディスプレイ５３４の表示は、図１２（Ｄ）の表示例４３５のようになる。図示するとおり、中段のラップタイムの表示は「−：−−’−−」となる。
【０１２２】
ここで、ランナーが外部操作部材５３６Ｅ（Ｅボタン）を１回押下した場合、ＬＡＰ６の時間情報が表示される。この時、マイクロプロセッサ５３３は、ＬＡＰ６のスプリットタイム「２：１６’４５」から、ＬＡＰ３の走行区間のスプリットタイム「１：３１’４５」を差し引いた、「０：４５’００」をＬＡＰ６のラップタイムとしディスプレイ５３４に表示させる。よって、ディスプレイ５３４の表示は、図１２（Ｄ）の表示例４３６のようになる。
【０１２３】
以上により、第２折り返し地点２３−２において記録したスプリットタイムに基づくラップタイムが非表示にされる。そして、図１２（Ｄ）の表示例４３６に示すＬＡＰ６のラップタイムは、２０ｋｍ地点２２−２から３０ｋｍ地点２２−３までの走行区間のラップタイムとなる。以上により、ＬＡＰ４のラップタイムを非表示にすることによって更新された走行記録は、図１２（Ｄ）のようになる。
【０１２４】
以上の、一連の走行記録の編集を行った後の時点での走行記録テーブルの状態を図１３に示す。
図１３は、本発明の実施形態の変形例に係る編集後の走行記録テーブルの一例を示す図である。
図示するように、ＬＡＰ２、ＬＡＰ４、及びＬＡＰ５の「非表示フラグが「ＯＦＦ」になっている。
【０１２５】
以上により、図１２（Ｄ）の列の一連の表示例が、走行記録の編集後の表示例となる。
図１２（Ｄ）の表示例４３１に示されるＬＡＰ１のラップタイムは、ランナーがスタート地点２１から１０ｋｍ地点２２−１までを走行するのに要した時間である。また、表示例４３３に示されるＬＡＰ３のラップタイムは、ランナーが１０ｋｍ地点２２−１から２０ｋｍ地点２２−２までを走行するのに要した時間である。また、表示例４３６に示されるＬＡＰ６のラップタイムは、２０ｋｍ地点２２−２から３０ｋｍ地点２２−３までを走行するのに要した時間である。
【０１２６】
また、表示例４３７に示されるＬＡＰ７のラップタイムは、ランナーが３０ｋｍ地点２２−３からゴール地点２５までを走行するのに要した時間になる。したがって、ディスプレイ５３４には、ＬＡＰ１からＬＡＰ３については、１０ｋｍ間隔のラップタイムが表示される。
以上により、ランナーは走行記録を編集することによって、容易に自己の走行ペースを把握することができる。
【０１２７】
（実施形態の変形例に係る電子機器の動作）
【０１２８】
次に、実施形態の変形例に係る電子機器５３の動作について説明する。
図１４は、本発明の実施形態の変形例に係る電子機器５３の動作の一例を示すフローチャートである。
【０１２９】
（ステップＳ２０１）まず、ランナーにより、編集したい走行記録が選択される。ランナーにより、編集する走行記録がディスプレイ５３４に表示されるまで、電子機器５３の外部操作部材５３６Ａ（Ａボタン）及び外部操作部材５３６Ｄ（Ｄボタン）が押下される。その後、ステップＳ１０２へ進む。その後、ステップＳ２０２へ進む。
【０１３０】
（ステップＳ２０２）次に、ランナーにより、削除する時間情報がディスプレイ５３４に表示されるまで、電子機器５３の外部操作部材５３６Ｅ（Ｅボタン）を押下される。以下、削除する時間情報に付与されたラップ番号を、ＬＡＰ（Ｎ）と記載する。その後、ステップＳ２０３へ進む。
【０１３１】
（ステップＳ２０３）次に、ランナーにより、外部操作部材５３６Ｄ（Ｄボタン）が押下される。外部操作部材５３６Ｄ（Ｄボタン）が押下された時間が２秒以上（長押し）であったならば、ステップＳ２０４へ進む。外部操作部材５３６Ｄ（Ｄボタン）押下された時間が２秒未満であったならば、ステップＳ２０３に留まる。
【０１３２】
（ステップＳ２０４）マイクロプロセッサ５３３は、メモリ５３５に記憶された走行記録テーブルにおいて、ＬＡＰ（Ｎ）のＬＡＰ番号が付与された時間情報に対応する非表示フラグの項目の値を「ＯＮ」に更新する。その後、ステップＳ２０５へ進む。
【０１３３】
（ステップＳ２０５）マイクロプロセッサ５３３は、ＬＡＰ（Ｎ）に対応する走行区間のラップタイムをディスプレイ５３４に表示させる場合には、非表示とする。すなわち、マイクロプロセッサ５３３は、ディスプレイ５３４の中段に「−：−−’−−」と表示させる。その後、ステップＳ２０６へ進む。
【０１３４】
（ステップＳ２０６）ステップＳ２０４においてマイクロプロセッサ５３３が非表示フラグの項目の値を「ＯＮ」にした走行区間が最終走行区間でない場合には、ステップＳ２０７へ進む。非表示フラグの項目の値を「ＯＮ」にした走行区間が最終走行区間である場合には、本フローチャートが示す処理を終了する。
【０１３５】
（ステップＳ２０７）マイクロプロセッサ５３３は、変数Ｘの値を１とする。その後、ステップＳ２０８へ進む。
【０１３６】
（ステップＳ２０８）マイクロプロセッサ５３３は、ＬＡＰ（Ｎ−Ｘ）のラップ番号に対応する非表示フラグの項目の値を確認する。非表示フラグの項目の値が「ＯＮ」である場合には、ステップＳ２０９へ進む。非表示フラグの項目の値が「ＯＦＦ」である場合には、ステップＳ２１０へ進む。
【０１３７】
（ステップＳ２０９）マイクロプロセッサ５３３は、変数Ｘの値に１を加算する。その後、ステップＳ２０８へ戻る。
【０１３８】
（ステップＳ２１０）マイクロプロセッサ５３３は、ＬＡＰ（Ｎ＋１）のラップタイムをディスプレイ５３４に表示させる場合には、ＬＡＰ（Ｎ＋１）の時間情報に対応するスプリットタイムからＬＡＰ（Ｎ−Ｘ）のスプリットタイムを指し引いた時間を表示する以上で、本フローチャートが示す処理を終了する。
【０１３９】
以上説明したように、実施形態の変形例によれば、ランナーは走行記録を編集することによって、容易に自己の走行ペースを把握することができる。
【０１４０】
以上、この発明の実施形態及びその変形例について詳しく説明してきたが、具体的な構成は上述のものに限られることはなく、この発明の要旨を逸脱しない範囲内において様々な設計変更等をすることが可能である。
【０１４１】
なお、上述した実施形態における計測マット５１、電子機器５３の一部または全部を、コンピュータで実現するようにしてもよい。その場合、この制御機能を実現するためのプログラムを、コンピュータにより読み取り可能な記録媒体に記録して、この記録媒体に記録されたプログラムをコンピュータシステムに読み込ませ、実行することによって実現してもよい。
【０１４２】
なお、ここでいう「コンピュータシステム」とは、計測マット５１、電子機器５３に内蔵されたコンピュータシステムであって、ＯＳや周辺機器等のハードウェアを含むものとする。また、「コンピュータ読み取り可能な記録媒体」とは、フレキシブルディスク、光磁気ディスク、フラッシュメモリ、ＥＥＰＲＯＭ、ＲＯＭ、ＲＡＭ、ＣＤ−ＲＯＭ等の可搬媒体、コンピュータシステムに内蔵されるハードディスク等の記憶装置、またはそれらの任意の組み合わせによって構成される記憶媒体のことをいう。
【０１４３】
さらに「コンピュータ読み取り可能な記録媒体」とは、インターネット等の通信ネットワークや電話回線等の通信回線を介してプログラムを送信する場合の通信線のように、短時間、動的にプログラムを保持するもの、その場合のサーバーやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１４４】
また、上述した実施形態における電子機器５３の一部または全部を、ＬＳＩ（Ｌａｒｇｅ  Ｓｃａｌｅ  Ｉｎｔｅｇｒａｔｉｏｎ）等の集積回路として実現してもよい。電子機器５３の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１４５】
１・・・レース会場、１１・・・レースコース、２１・・・スタート地点、２２−１・・・１０ｋｍ地点、２２−２・・・２０ｋｍ地点、２２−３・・・３０ｋｍ地点、２３−１・・・第１折り返し地点、２３−２・・・第２折り返し地点、２４・・・ハーフ地点、２５・・・ゴール地点、５・・・計測システム、５１・・・計測マット、５２・・・磁界、５３・・・電子機器、５１１・・・マット、５１２・・・信号発生コイル、５１３・・・信号発信器、５３１・・・受信アンテナ、５３２・・・受信回路、５３３・・・マイクロプロセッサ、５３４・・・ディスプレイ、５３５・・・メモリ、５３６・・・外部操作部材、５３６Ａ〜Ｅ・・・外部操作部材（Ａボタン〜Ｅボタン）、５３７・・・電源
【図１】
2016158942.tif 000003
【図２】
2016158942.tif 000004
【図３】
2016158942.tif 000005
【図４】
2016158942.tif 000006
【図５】
2016158942.tif 000007
【図６】
2016158942.tif 000008
【図７】
2016158942.tif 000009
【図８】
2016158942.tif 000010
【図９】
2016158942.tif 000011
【図１０】
2016158942.tif 000012
【図１１】
2016158942.tif 000013
【図１２】
2016158942.tif 000014
【図１３】
2016158942.tif 000015
【図１４】
2016158942.tif 000016